(57)【特許請求の範囲】
【請求項１】
積層された複数の壁面ブロックからなる壁体の背部に充填された盛土内に埋設され、一端側が前記壁面ブロックに、他端側が前記盛土内に埋設された支圧ブロックにそれぞれ定着された盛土補強材であって、鉄筋バーまたは帯鋼から形成され、一端側にＬ型状またはＴ型状のフック、他端側に真下に垂直に突出したフックがそれぞれ形成され、前記一端側のフックは、スランプがゼロまたはゼロにきわめて近い超固練りコンクリートから形成された乾式ブロックからなる壁面ブロックに形成された定着孔または定着溝に、前記他端側のフックは、スランプがゼロまたはゼロにきわめて近い超固練りコンクリートから形成された乾式ブロックからなる支圧ブロックに形成された定着孔または定着溝にそれぞれ挿入して定着されてなることを特徴とする盛土補強材。
【請求項２】
積層された複数の壁面ブロックからなる壁体の背部に充填された盛土内に埋設され、一端側が前記壁面ブロックに、他端側が前記盛土内に埋設された支圧ブロックにそれぞれ定着された盛土補強材であって、鉄筋バーまたは帯鋼から形成され、一端側にＬ型状またはＴ型状のフック、他端側に真下に垂直に突出したフックがそれぞれ形成され、前記一端側のフックはスランプがゼロまたはゼロにきわめて近い超固練りコンクリートから形成された乾式ブロックからなる壁面ブロックに突設された輪環に、前記他端側のフックはスランプがゼロまたはゼロにきわめて近い超固練りコンクリートから形成された乾式ブロックからなる支圧ブロックに形成された定着孔または定着溝にそれぞれ挿入して定着されてなることを特徴とする盛土補強材。
【請求項３】
壁面ブロックおよび支圧ブロックの定着孔または定着溝に固結材が充填されてなることを特徴とする請求項１または２のいずれかに記載の盛土補強材。
【請求項４】
表面が亜鉛メッキまたは合成樹脂被覆、あるいは亜鉛メッキした上を合成樹脂被覆してあることを特徴とする請求項１〜３のいずれかに記載の盛土補強材。
【請求項５】
背部に盛土が充填された壁体を構成する壁面ブロックとして用いられる補強土ブロックであって、スランプがゼロまたはゼロにきわめて近い超固練りコンクリートからなる乾式ブロックであって、前記盛土内に埋設された盛土補強材の端部に形成されたフックを挿入して定着するための定着孔または定着溝を有し、当該定着孔または定着溝の近傍に前記盛土補強材の引き抜きに抵抗する抵抗部材が埋設されてなることを特徴とする補強土ブロック。
【請求項６】
盛土内に埋設された盛土補強材に作用する引き抜きに抵抗する支圧ブロックとして用いられる補強土ブロックであって、スランプがゼロまたはゼロにきわめて近い超固練りコンクリートからなる乾式ブロックであって、前記盛土補強材の端部に形成されたフックを挿入して定着するための定着孔または定着溝を有し、当該定着孔または定着溝の近傍に前記盛土補強材の引き抜きに抵抗する抵抗部材が埋設されてなることを特徴とする補強土ブロック。
【請求項７】
抵抗部材は棒状部材、板状部材またはメッシュ部材から形成され、定着孔または定着溝の側部に埋設されてなることを特徴とする請求項５または６記載の補強土ブロック。
【請求項８】
複数の壁面ブロックを複数段に積層して壁体を形成し、当該壁体の背部に盛土を充填し、当該盛土内に盛土補強材と支圧ブロックをそれぞれ埋設し、前記盛土補強材の一端側を前記壁面ブロックに、他端側を前記支圧ブロックにそれぞれ定着してなる補強土構造物において、前記壁面ブロックと支圧ブロックはスランプがゼロまたはゼロにきわめて近い超固練りコンクリートからなる乾式ブロックであって、前記盛土補強材は鉄筋バーまたは帯鋼から形成され、一端側にＬ型状またはＴ型状のフック、他端側に真下に垂直に突出したフックがそれぞれ形成され、前記一端側のフックは前記壁面ブロックに形成された定着孔または定着溝に、前記他端側のフックは前記支圧ブロックに形成された定着孔または定着溝にそれぞれ挿入して定着されてなることを特徴とする補強土構造物。
【請求項９】
複数の壁面ブロックを複数段に積層して壁体を形成し、当該壁体の背部に盛土を充填し、当該盛土内に盛土補強材と支圧ブロックをそれぞれ埋設し、前記盛土補強材の一端側を前記壁面ブロックに、他端側を前記支圧ブロックにそれぞれ定着してなる補強土構造物において、前記壁面ブロックと支圧ブロックは、スランプがゼロまたはゼロにきわめて近い超固練りコンクリートからなる乾式ブロックであって、前記盛土補強材は鉄筋バーまたは帯鋼から形成され、一端側にＬ型状またはＴ型状のフック、他端側に真下に垂直に突出したフックがそれぞれ形成され、前記一端側のフックは前記壁面ブロックに突設された輪環に、前記他端側のフックは前記支圧ブロックに形成された定着孔または定着溝にそれぞれ挿入して定着されてなることを特徴とする補強土構造物。
【請求項１０】
壁面ブロックおよび支圧ブロックの定着孔または定着溝の近傍に盛土補強材の引き抜きに抵抗する抵抗部材が埋設されてなることを特徴とする請求項８または９記載の補強土構造物。
【請求項１１】
抵抗部材は棒状部材、板状部材またはメッシュ部材から形成され、かつ予め形成された埋込み孔または埋込み溝に固結材によって埋設されてなることを特徴とする請求項１０記載の補強土構造物。
【請求項１２】
壁面ブロックおよび支圧ブロックの定着孔または定着溝に固結材が充填されてなることを特徴とする請求項８〜１１のいずれかに記載の補強土構造物。
【請求項１３】
隣接する壁面ブロックは、当該壁面ブロック間に設置された連結金具によって互いに連結されてなることを特徴とする請求項８〜１２のいずれかに記載の補強土構造物。
【請求項１４】
各段の横方向に隣接する壁面ブロックとして、盛土補強材の定着された壁面ブロックと盛土補強材の定着されない壁面ブロックが積層されてなることを特徴とする請求項８〜１３のいずれかに記載の補強土構造物。
【請求項１５】
上下方向に隣接する壁面ブロックとして、盛土補強材の定着された壁面ブロックと盛土補強材の定着されない壁面ブロックが積層されてなることを特徴とする請求項８〜１４のいずれかに記載された補強土構造物。
【請求項１６】
各壁面ブロックおよび／または横方向に隣接する壁面ブロック間に空洞部が設けられ、当該空洞部に砕石または礫、固結材、あるいはブロックを充填してなることを特徴とする請求項８〜１５のいずれかに記載の補強土構造物。
【請求項１７】
壁面ブロックは複数、インターロッキングで組み合わせながら積層してなることを特徴とする請求項８〜１６のいずれかに記載の補強土構造物。
【請求項１８】
壁面ブロックは表面フランジと背面フランジとウェブ、または表面フランジとウェブとから形成されてなることを特徴とする請求項８〜１７のいずれかに記載の補強土構造物。
【請求項１９】
壁面ブロックおよび支圧ブロックに、補強材として金属繊維、合成樹脂繊維またはガラス繊維を混入してなることを特徴とする請求項８〜１８のいずれかに記載の補強土構造物。
【請求項２０】
壁体の背部に盛土として発泡スチロール、ブロック、泡モルタルまたはソイルセメントが充填されてなることを特徴とする請求項８〜１９のいずれかに記載の補強土構造物。
【請求項２１】
壁体の背部に砕石または礫、あるいは砂質土または固結土を充填してなることを特徴とする請求項８〜２０のいずれかに記載の補強土構造物。」
【発明の詳細な説明】
【０００１】
【発明の属する技術分野】
本願発明は擁壁などとして構築される補強土構造物、その壁面ブロックおよび支圧ブロックとして用いられる補強土ブロックおよび盛土補強材に関し、特に施工性と安定性等にすぐれている。
【０００２】
【従来の技術】
これまで、例えば道路や宅地などに面する擁壁などとして構築される補強土構造物として、複数の壁面ブロックや壁面パネル等の壁面材を積層し、その背部に盛土を一定の層厚ごとにまき出すとともに層厚ごとに転圧し、かつ各層間に盛土補強材として鉄筋バーや帯状鋼材、あるいはジオテキスタイルや金網などを一定間隔に配置するとともにその先端側を壁面材に固定し、他端側に支圧板を取り付けて構築される補強土構造物が知られている。
【０００３】
図２１（ａ）はその一例を示し、図においてコンクリート製の壁面パネル３０を複数段に積層し、その背部に盛土３１をまき出し、転圧後、盛土３１の各層間に盛土補強材として他端に支圧板３３を取り付けた鉄筋バー３２（図２１（ｂ））や鋼製帯状体、あるいは金網（以下「鉄筋バー３２」という）が複数層に埋設され、各鉄筋バー３２の先端側３２ａは壁面パネル３０に連結されている。
【０００４】
この場合、特に鉄筋バー３２は、盛土３１との摩擦力による拘束効果によって盛土構造全体の安定性と強度を高めるとともに壁面パネル３０を固定することで、盛土３１と鉄筋バー３２との一体化が図られている。
【０００５】
また、各鉄筋バー３２の先端側３２ａは、一般に壁面パネル３０の背面部に突設された定着金具にボルト・ナット３４によって定着されている。
【０００６】
また、鉄筋バー３２の他端に取り付けられた支圧板３３は、薄い鋼板またはコンクリートパネルで形成され、それ自体自立性のない薄い形状をなし、鉄筋バー３２の端部を貫通させ、定着ナット３５で定着されている。
【０００７】
【発明が解決しようとする課題】
しかし、支圧板３３はそれ自体自立が困難であり、しかも鉄筋バー３２の端部に定着ナット３５を螺着して定着するため、壁面と支圧板３３の安定を保ちながら螺着するのが困難で壁面が傾斜しやすく、変位の大きな壁面となる原因となっている。
【０００８】
また、補強土工法として現場発生材を用いることが要望されているが、通常用いられている鉄筋バー３２は亜鉛メッキされている。
【０００９】
しかし、亜鉛メッキはＰＨが５〜９程度の土に対しては耐蝕性にすぐれているが、それよりも酸性側およびアルカリ性側の土に対しては耐蝕性が低下する。これを防ぐためには合成樹脂で鉄筋バー３２を被覆するのが好ましいが、螺着方式による連結法ではねじ溝で合成樹脂がやぶれてしまい耐蝕性が得られない。
【００１０】
また、亜鉛メッキ後においても溝部に亜鉛メッキが詰まってしまって螺着の際トラブルが発生しやい。
【００１１】
また、補強土工法において、壁面パネル３０として用いられるコンクリートパネルは、一般に厚さが１８ｃｍ程度あり、またパネル１枚当たりの面積は通常１．５×１．５＝２．２５ｍ2 程度あり、背面側に少なくとも４本の鉄筋バー３２などが盛土補強材として連結されているものを基本形とし、複数段に積層された各壁面パネル３０は、すべて少なくとも４本の鉄筋バー３２によって盛土３１内に定着されている。
【００１２】
このため、この種壁面パネル３０は、一般に土圧に耐えるだけの充分な強度（剛性）を必要とすることから、型枠内に鉄筋を配筋し、その後からセメント・骨材・水からなる充分に流動性のある硬化性材料を流し込みそのまま養生する、いわゆる湿式製造法によって成形されている。
【００１３】
また、この種のコンクリートパネルを壁面パネル３０として用いる場合、大型である等の理由により運搬などの取り扱いには重機を必要とし、そのため建設現場での取り扱いが大変であること、また湿式製造法による成形には時間がかかること、さらに圧縮性の盛土材とパネルとの相対変位や不均質な壁面土圧によってパネルがひびわれや変形を起こしやすいといった問題があり、最近では乾式ブロックとジオテキスタイルを組み合わせた補強土工法が用いられるようになってきた。
【００１４】
ところで、ブロック式補強土工法で用いられるブロック一個当りの大きさは、一般に高さが２０ｃｍ、幅が４５ｃｍ、奥行きが３０ｃｍ程度あり、一個当りの壁面積はほぼ０．９２ｃｍ2 で、２５個のブロックが従来のコンクリートパネル１枚に相当する。
【００１５】
また、この種のブロックは相当数を経済的に現場に供給する必要から、流動性のないスランプが殆どゼロの硬化性粉状体を金型（モールド）内で振動を加えながら加圧圧縮し、かつ金型から取り出した後、養生するいわゆる乾式製造法によって成形されている。
【００１６】
ところで、ブロック式補強土工法の利点としては、
▲１▼．ブロックは、上述した乾式工法によって大量に連続的に成形でき、しかも養生期問が短期間ですみ、製造コストが廉価である。
▲２▼．ブロックは、コンクリートパネルに比べて小型軽量なために運搬に重機を必要とせず、施工現場での取り扱いが容易である。
等の点がある。
【００１７】
一方、こうして成形された乾式ブロックを補強土法で壁面材として用いる場合、設計上からも、経済上からも、各ブロックごとに盛土補強材を連結することは、過大設計となりため、盛土補強材の連結されたブロックと盛土補強材の連結されていないブロック、あるいは盛土補強材を連結したブロック層と盛土補強材の連結されていないブロック層とを組み合わせて壁面が構築されており、このため下記のような問題がある。
▲１▼．盛土補強材の連結されていないブロックまたはブロック層の安定性
▲２▼．ブロックには引張り強度がないため、壁面ブロックや支圧ブロックに鉄筋バー等の盛土補強材を直接連結すると、ブロックの連結部が容易に破断してしまう。
▲３▼．上記と同様の理由により、ブロックに引張力または圧縮力が作用して曲げが生ずると、破断しやすく、そのため曲げが生じないように小さな形状にせざるを得ない。
▲４▼．引っ張りを生ずるような状態で使用できないだけでなく、地震時に容易に破壊されやすい。
【００１８】
また、鉄筋バー３２は転圧された盛土３１の各層間に埋設されているだけなので、鉄筋バー３２と盛土３１との間の拘束効果を期待するには、鉄筋バー３２の長さを相当長くする必要があり、このため必要に応じて、例えば図２２（ｂ）に図示するように鉄筋バー３２の自由端側の端部に薄鋼板やコンクリートパネルなどからる支圧プレート３３を取り付けて鉄筋バー３２の引き抜き抵抗力を高めているが、支圧プレート３３は設置する際および設置した後に傾きやすく、このため鉄筋バー３２の引き抜き抵抗力が落ち、壁面ブロック３０が地震時に変位する等の課題があった。
【００１９】
また、鉄筋バー３２の定着金具としてボルト・ナット３４を使用するため、ボルト・ナット３４の締め付けが非常に煩わしく、またコストが嵩む等の課題があった。また、さび付きによってボルトが機能しなくなることにより引抜抵抗が得られなくなる等の課題もあった。
【００２０】
また、壁面パネルとしてコンクリートパネルを用いた補強土工法の場合、１枚のパネルの面積が通常１．５×１．５＝２．２５ｍ2 で、そこに少なくとも４本の補強材が連結されていることを基本にしている。したがって、すべてのコンクリートパネルは、少なくとも４本によって盛土に定着している。
【００２１】
ところが、ブロック式補強土工法では、一つのブロックが、例えば高さ２０ｃｍ、幅４５ｃｍ、奥行き３０ｃｍの大きさで、壁面がほぼ０．０９ｍ2 であり、したがって従来のパネル１枚は、２５個のブロックに相当する。
【００２２】
このため、ブロック式補強土工法は各ブロックごとに補強材を連結することはしないで、補強材の連結されているブロックと補強材の連結されていないブロックを組み合わせて壁面を形成している。
【００２３】
本願発明は以上の課題を解決するためになされたもので、特に施工性と安定性等にすぐれた補強土構造物、これに壁面ブロックおよび支圧ブロックとして用いられる補強土ブロックおよび盛土補強材を提供することを目的とする。
【００２４】
【課題を解決するための手段】
請求項１記載の盛土補強材は、積層された複数の壁面ブロックからなる壁体の背部に充填された盛土内に埋設され、一端側が前記壁面ブロックに、他端側が前記盛土内に埋設された支圧ブロックにそれぞれ定着された盛土補強材であって、鉄筋バーまたは帯鋼から形成され、一端側にＬ型状またはＴ型状のフック、他端側に真下に垂直に突出したフックがそれぞれ形成され、前記一端側のフックは、スランプがゼロまたはゼロにきわめて近い超固練りコンクリートから形成された乾式ブロックからなる壁面ブロックに形成された定着孔または定着溝に、前記他端側のフックは、スランプがゼロまたはゼロにきわめて近い超固練りコンクリートから形成された乾式ブロックからなる支圧ブロックに形成された定着孔または定着溝にそれぞれ挿入して定着されてなることを特徴とするものである。
【００２５】
請求項２記載の盛土補強材は、積層された複数の壁面ブロックからなる壁体の背部に充填された盛土内に埋設され、一端側が前記壁面ブロックに、他端側が前記盛土内に埋設された支圧ブロックにそれぞれ定着された盛土補強材であって、鉄筋バーまたは帯鋼から形成され、一端側にＬ型状またはＴ型状のフック、他端側に真下に垂直に突出したフックがそれぞれ形成され、前記一端側のフックはスランプがゼロまたはゼロにきわめて近い超固練りコンクリートから形成された乾式ブロックからなる壁面ブロックに突設された輪環に、前記他端側のフックはスランプがゼロまたはゼロにきわめて近い超固練りコンクリートから形成された乾式ブロックからなる支圧ブロックに形成された定着孔または定着溝にそれぞれ挿入して定着されてなることを特徴とするものである。
【００２７】
請求項３記載の盛土補強材は、請求項１または２のいずれかに記載の盛土補強材において、壁面ブロックおよび支圧ブロックの定着孔または定着溝に固結材が充填されてなることを特徴とするものである。盛土補強材としては、丸鋼や異形鉄筋などの鉄筋バー、あるいは帯鋼材などを用いることができ、また盛土補強材は、補強土ブロック（壁面ブロックおよび支圧ブロック）の成形時に補強土ブロックに定着してもよく、あるいは施工時に定着してもよい。
【００２８】
固結材としては、高強度早強モルタルや樹脂モルタル等を用いることができ、固結材は原則として施工の際充填する。
請求項４記載の盛土補強材は、請求項１〜３のいずれかに記載の盛土補強材において、表面が亜鉛メッキまたは合成樹脂被覆、あるいは亜鉛メッキした上を合成樹脂被覆してあることを特徴とするものである。
【００２９】
請求項５記載の補強土ブロックは、背部に盛土が充填された壁体を構成する壁面ブロックとして用いられる補強土ブロックであって、スランプがゼロまたはゼロにきわめて近い超固練りコンクリートからなる乾式ブロックであって、前記盛土内に埋設された盛土補強材の端部に形成されたフックを挿入して定着するための定着孔または定着溝を有し、当該定着孔または定着溝の近傍に前記盛土補強材の引き抜きに抵抗する抵抗部材が埋設されてなることを特徴とするものである。
【００３０】
請求項６記載の補強土ブロックは、盛土内に埋設された盛土補強材に作用する引き抜きに抵抗する支圧ブロックとして用いられる補強土ブロックであって、スランプがゼロまたはゼロにきわめて近い超固練りコンクリートからなる乾式ブロックであって、前記盛土補強材の端部に形成されたフックを挿入して定着するための定着孔または定着溝を有し、当該定着孔または定着溝の近傍に前記盛土補強材の引き抜きに抵抗する抵抗部材が埋設されてなることを特徴とするものである。
【００３１】
請求項５および６記載の補強土ブロック（壁面ブロックおよび支圧ブロック）は、特にスランプがゼロかゼロにきわめて少ない超固練りコンクリートを型枠内で強力なバイブレータや締め固め機を用いて締め固めて成形することができる。
すなわち、超固練りコンクリートを強力な振動と加圧によって締め固めた後、即時脱型し、そして蒸気養生やオートクレーブ養生による促進養生を行うことで、８〜２０時間程度で標準養生した場合の２５日強度に近い強度を有する補強土ブロックを得ることができる。したがって、本願発明による乾式ブロックは、即時脱型によるブロックと言い換えてもよい。
【００３２】
この場合の超固練りコンクリートは、セメントと骨材と水とからなるスランプがゼロか、またはゼロにきわめて近い（殆どゼロ）もので、例えば水セメント比が３９％、セメント量が４００Ｋｇ、粗骨材（１００ｍ以下）が５０％、細骨材が（２ｍｍ以下）でスランプをゼロとすると、４００Ｋｇ／ｃｍ2 強度の乾式ブロックを得ることができる。
【００３３】
請求項７記載の補強土ブロックは、請求項５または６記載の補強土ブロックにおいて、抵抗部材は棒状部材、板状部材またはメッシュ部材から形成され、定着孔の側部に埋設されてなることを特徴とするものである。抵抗部材としては、鉄筋などの棒状部材、鋼板などの板状部材、さらには金網類などのメッシュ部材を用いることができ、特にブロック全体、あるいは特に大きな応力が発生する位置にブロック補強材として金属繊維、合成樹脂繊維、炭素繊維またはガラス繊維を混入してもよい。
【００３４】
請求項８記載の補強土構造物は、複数の壁面ブロックを複数段に積層して壁体を形成し、当該壁体の背部に盛土を充填し、当該盛土内に盛土補強材と支圧ブロックをそれぞれ埋設し、前記盛土補強材の一端側を前記壁面ブロックに、他端側を前記支圧ブロックにそれぞれ定着してなる補強土構造物において、前記壁面ブロックと支圧ブロックはスランプがゼロまたはゼロにきわめて近い超固練りコンクリートからなる乾式ブロックであって、前記盛土補強材は鉄筋バーまたは帯鋼から形成され、一端側にＬ型状またはＴ型状のフック、他端側に真下に垂直に突出したフックがそれぞれ形成され、前記一端側のフックは前記壁面ブロックに形成された定着孔または定着溝に、前記他端側のフックは前記支圧ブロックに形成された定着孔または定着溝にそれぞれ挿入して定着されてなることを特徴とするものである。
【００３５】
請求項９記載の補強土構造物は、複数の壁面ブロックを複数段に積層して壁体を形成し、当該壁体の背部に盛土を充填し、当該盛土内に盛土補強材と支圧ブロックをそれぞれ埋設し、前記盛土補強材の一端側を前記壁面ブロックに、他端側を前記支圧ブロックにそれぞれ定着してなる補強土構造物において、前記壁面ブロックと支圧ブロックは、スランプがゼロまたはゼロにきわめて近い超固練りコンクリートからなる乾式ブロックであって、前記盛土補強材は鉄筋バーまたは帯鋼から形成され、一端側にＬ型状またはＴ型状のフック、他端側に真下に垂直に突出したフックがそれぞれ形成され、前記一端側のフックは前記壁面ブロックに突設された輪環に、前記他端側のフックは前記支圧ブロックに形成された定着孔または定着溝にそれぞれ挿入して定着されてなることを特徴とするものである。
【００３６】
請求項１０記載の補強土構造物は、請求項８または９記載の補強土構造物において、壁面ブロックおよび支圧ブロックの定着孔または定着溝の近傍に盛土補強材の引き抜きに抵抗する抵抗部材が埋設されてなることを特徴とするものである。
請求項１１記載の補強土構造物は、請求項１０記載の補強土構造物において、抵抗部材は棒状部材、板状部材またはメッシュ部材から形成され、かつ予め形成された埋込み孔または埋込み溝に固結材によって埋設されてなることを特徴とするものである。
【００３７】
請求項１２記載の補強土構造物は、請求項８〜１１のいずれかに記載の補強土構造物において、壁面ブロックおよび支圧ブロックの定着孔または定着溝に固結材が充填されてなることを特徴とするものである。
請求項１３記載の補強土構造物は、請求項８〜１１のいずれかに記載の補強土構造物において、隣接する壁面ブロックは、当該壁面ブロック間に設置された連結金具によって互いに連結されてなることを特徴とするものである。
請求項１４記載の補強土構造物は、請求項８〜１１のいずれかに記載の補強土構造物において、各段の横方向に隣接する壁面ブロックとして、盛土補強材の定着された壁面ブロックと盛土補強材の定着されない壁面ブロックが積層されてなることを特徴とするものである。
【００３８】
請求項１５記載の補強土構造物は、請求項８〜１４のいずれかに記載の補強土構造物において、上下方向に隣接する壁面ブロックとして、盛土補強材の定着された壁面ブロックと盛土補強材の定着されない壁面ブロックが積層されてなることを特徴とするものである。
請求項１６記載の補強土構造物は、請求項８〜１５のいずれかに記載の補強土構造物において、各壁面ブロックおよび／または横方向に隣接する壁面ブロック間に空洞部が設けられ、当該空洞部に砕石または礫、固結材、あるいはブロックを充填してなることを特徴とするものである。
【００３９】
請求項１７記載の補強土構造物は、請求項８〜１６のいずれかに記載の補強土構造物において、壁面ブロックは複数、インターロッキングで組み合わせながら積層してなることを特徴とするものである。
請求項１８記載の補強土構造物は、請求項８〜１７のいずれかに記載の補強土構造物において、壁面ブロックは表面フランジと背面フランジとウェブ、または表面フランジとウェブとから形成されてなることを特徴とするものである。
請求項１９記載の補強土構造物は、請求項８〜１８のいずれかに記載の補強土構造物において、壁面ブロックおよび支圧ブロックに、補強材として金属繊維、合成樹脂繊維またはガラス繊維を混入してなることを特徴とするものである。
【００４０】
請求項２０記載の補強土構造物は、請求項８〜１９のいずれかに記載の補強土構造物において、壁体の背部に盛土として発泡スチロール、ブロック、泡モルタルまたはソイルセメントが充填されてなることを特徴とするものである。  この場合、特に盛土としての発泡スチロール、ブロック、泡モルタルまたはソイルセメントは、補強土壁面背部の一定範囲に充填し、それより後方に現地発生材などを盛土として充填してもよい。このようにすることで、補強土壁面に作用する土圧を低減することができる。
【００４１】
請求項２１記載の補強土構造物は、請求項８〜２０のいずれかに記載の補強土構造物において、壁体の背部に砕石または礫、あるいは砂質土または固結土を充填してなることを特徴とするものである。
この場合、特に盛土としての砕石、礫、または砂質土または固結土を補強土壁面背部の一定範囲に充填し、それより後方に現地発生材などを盛土として充填してもよい。このようにすることで、砕石や礫は沈下しにくいことから盛土の沈下に伴う盛土補強材の変形、およびこれに伴う曲げ応力の発生を著しく低減することができ、また過大な変形および曲げ応力による盛土補強材の破断を未然に防止することができる。
【００５４】
【発明の実施の形態】
図１（ａ）〜（ｃ）は、道路や敷地などに面する擁壁として構築された補強土構造物の一例を示し、図において、符号１は擁壁の壁体Ａを構成すべく複数段に積層された壁面ブロック、２は壁体Ａの背部に充填された盛土、３は盛土２の安定を図るとともに盛土２の強度を高め、かつ壁面ブロック１を固定すべく、盛土２内に複数層に埋設された盛土補強材、そして符号４は盛土補強材３の引き抜きに抵抗する抵抗部材（アンカー部材）として盛土２内に埋設された支圧ブロックである。
【００５５】
壁面ブロック１は表面フランジ１ａ、背面フランジ１ｂおよびウェブ１ｃをそれぞれ有し、乾式ブロックからそのままでもきわめて安定して自立できる平面ほぼＨ形状（またはＩ形状）に一体的に形成されている。
【００５６】
また、表面フランジ１ａ、背面フランジ１ｂおよびウェブ１ｃの各上端部に定着溝１ｄがそれぞれ形成され、定着溝１ｄは表面フランジ１ａとウェブ１ｃの上端部にあってはそれぞれの長手方向に連続し、背面フランジ１ｂの上端部にあってはその幅方向に連続し、各部の定着溝１ｄは１本の溝に連続して形成されている。また、ウェブ１ｃの上端部に突起１ｅが形成されている。
【００５７】
なお、この場合の壁面ブロック１は一般に運搬などの取り扱い易さ、施工性などを考慮して通常高さｈが２０〜１５０ｃｍ、幅ｗが３０〜１００ｃｍ、奥行きｄが２０〜６０ｃｍ程度の大きさに、および重さが２０〜１５０Ｋｇ程度の重量に形成されている。
【００５８】
このように形成された壁面ブロック１は横方向に互いに隣接させ、かつ複数段に積層されている。この場合、各段の横方向に隣接する壁面ブロック１，１間には双方の表面フランジ１ａと背面フランジ１ｂとウェブ１ｃとからなる空洞部５が形成され、各空洞部５内に盛土２が充填されている。
【００５９】
なおこの場合、空洞部５内にれきまたは固結材、あるいはブロックを充填することにより左右および上下の壁面ブロック１，１どうしを一体化させることができる。
【００６０】
また、各段の壁面ブロック１は、例えば図１に図示するように横方向に隣接する表面フランジ１ａ，１ａ間の縦目地ａが上下方向に連続しないで左右に交互にずれる、いわゆる「やぶれ目地」となるように積層され、これに伴い各段の壁面ブロック１の突起１ｅはその上の段の隣接する壁面ブロック１，１間の空洞部５と嵌合することで、上下および横方向に隣接する壁面ブロック１どうしは、各壁面ブロック１の突起１ｅと空洞部５とが嵌合するインターロッキングによって互いに組み合わされている。
【００６１】
盛土補強材３は盛土２内に水平に埋設され、その一端側（壁面ブロック側）は壁面ブロック１に定着され、その他端側（支圧ブロック側）は支圧ブロック４に定着されている。
【００６２】
また、盛土補強材３は丸鋼や異形棒鋼などの鉄筋バーの他、帯鋼などから形成され、また表面には亜鉛メッキ、合成樹脂によるシール被覆、塗装被覆などが施されている。特に、盛土補強材３の表面を亜鉛メッキまたはシール被覆した場合の防食効果はきわめて大きく、盛土２として酸性土の高い現場発生材を用いた場合だけでなく、石灰質土のようなアルカリ性土を使用した場合のいずれの場合に対しても対処することができる。なお、盛土補強材３の表面を亜鉛メッキした上にシール被覆するとその防食効果はより高められる。
【００６３】
また、盛土補強材３の一端側に定着部として平面ほぼＬ字状またはＴ字状のフック３ａが形成されており、フック３ａは壁面ブロック１の表面フランジ１ａおよびウェブ１ｃの定着溝１ｄ内に挿入され、かつ定着溝１ｄにコンクリートやモルタル、またはエポキシ樹脂などの固結材６を充填することにより定着されている。
【００６４】
このようにして盛土補強材３のフック３ａが壁面ブロック１の定着溝１ｄに定着されていることで、フック３ａは上側の壁面ブロック１の重量で拘束され、しかも定着用溝１ｄ内の周面との摩擦によって引き抜かれる心配がないため、盛土補強材３のフック３ａは上下の壁面ブロック１，１間に確実かつ強固に定着されている。
【００６５】
この場合特に、盛土補強材３のフック３ａは横方向に隣接する２〜３個、あるいはそれ以上の壁面ブロック１の定着溝１ｄ間に跨がって定着されていることで、一本の盛土補強材３で横方向に隣接する複数の壁面ブロック１を同時に固定することができるため、きわめて経済的であり、また施工性が著しく向上する。
【００６６】
また、盛土補強材３のフック３ａが定着溝１ｄ内で安定していることで、その上側に位置する壁面ブロック１が土圧による応力集中で前にずれたとしても、その下側の壁面ブロック１の定着溝１ｄ内のフック３ａは連結されたままで破壊されることがなく、むしろ壁面ブロック１が前に移動することで土圧による応力集中が緩和されて安定した土留め擁壁を保ち続けることができる。
【００６７】
一方、盛土補強材３の他端側（支圧ブロック側）は盛土２内を水平に延長され、かつ支圧ブロック４の上端部のほぼ中央に所定深さに形成された定着孔４ａに定着されている。この場合、盛土補強材３の他端側には真下に略直角に突出する定着部としてフック３ｂが形成され、フック３ｂは定着用孔４ａ内に挿入され、かつその周囲にコンクリートやモルタル、またはエポキシ樹脂などの固結材６が充填されている。
【００６８】
また、支圧ブロック４の特に定着孔４ａの近傍には、例えば図１（ｃ）に図示するように、盛土補強材３の引き抜き力Ｐに対する抵抗部材４ｂとして鉄筋が水平に埋設され、この抵抗部材４ｂがフック３ｂを介して作用する盛土補強材３の引き抜き力Ｐに強力に抵抗するようになっている。
【００６９】
なお、この場合の抵抗部材４ｂはも、定着孔４ａの近傍にあらかじめ形成された埋込み孔または埋込み溝（図省略）に挿入され、かつ後から充填された樹脂モルタル等の固結材によって埋設されている。
【００７０】
また、盛土補強材３は、各段の壁面ブロック１に作用する盛土２からの土圧に対して充分な引き抜き抵抗力が得られれば、格段ごとまたは各列ごとに布設される必要はなく、複数段おきまたは複数列おきに布設されていてもよい。むしろ、盛土補強材３は少ないほうが経済的であり、また盛土２の充填および転圧に際して邪魔にならず、施工する上でも望ましい。
【００７１】
この場合の例としては、各段の横方向に隣接する壁面ブロックとして、盛土補強材３の連結された壁面ブロック１と盛土補強材３の連結されていない壁面ブロック３が一段おきまたは数段おきに積層されている場合がある。
【００７２】
また、上下方向に隣接する壁面ブロックとしては、盛土補強材３が連結されている壁面ブロック１と盛土補強材３の連結されていない壁面ブロック１が一列おきまたは数列おきに積層されている場合がある。
【００７３】
図２は特に、盛土補強材３の一端側を壁面ブロック１に定着する方法の他の例を示し、定着溝１ｄは表面フランジ１ａの中央からウェブ１ｃ、さら背面フランジ１ｂ間に渡って直線状に連続して形成されている。また、定着溝１ｄの先端部（表面フランジ１ａの中央）に定着孔１ｆが形成されている。
【００７４】
一方、盛土補強材３の一端側には定着部として真下に略垂直に突出するＬ字状のフック３ａが形成されている。そして、盛土補強材３の一端側は、定着溝１ｄに挿入するとともにフック３ａを定着孔１ｆに挿入し、かつ定着溝１ｄおよび定着孔１ｆに固結材６を充填することにより壁面ブロック１に定着されている。
【００７５】
図３に図示する例においては、特に壁面ブロック１が表面フランジ１ａとその背面側に並列に突設された複数のウェブ１ｃ，１ｃとから形成され、また表面フランジ１ａの上端部の略中央に定着孔１ｆが形成されている。
【００７６】
一方、盛土補強材３の先端側には、定着部として真下に略垂直に突出するＬ字状のフック３ａが形成されている。そして、フック３ａを定着用孔１ｆに挿入し、さらに定着孔１ｆに固結材６を充填することにより補強材３の先端側が壁面ブロック１に定着されている。
【００７７】
また、図４に図示する例においては、盛土補強材３の一端側に平面ほぼＴ字状のフック３ａが形成され、かつその両端に真下に突出する突起３ｃ，３ｃがそれぞれ突設されている。一方、壁面ブロック１の定着溝１ｄ内に小穴１ｇが設けられている。
【００７８】
そして、フック３ａを定着溝１ｄ内に挿入し、両端の突起３ｃ，３ｃをそれぞれ小穴１ｇ，１ｇに挿入し、さらに定着溝１ｄおよび小穴１ｇ，１ｇに固結材６を充填することで、盛土補強材３の一端側が壁面ブロック１に定着されている。なお、図４（ｄ）は壁面ブロックとして直方体形に形成されたブロックが用いられている例を示したものである。
【００７９】
また、図５に図示する例においては、特に盛土補強材３のフック３ａが延長部３ｄと別体の棒状に形成され、かつ延長部３ｄの先端部に形成されたリング部３ｅに挿通することにより延長部３ｄの先端部に連結されている。この盛土補強材３を用いれば、フック３ａが相当長い場合でも、運搬などに際してフック３ａと延長部３ｄとを切り離すことができるため、嵩張らず取り扱いが容易である。なお、図５（ｄ）は壁面ブロックとして直方体形に形成されたブロックが用いられている例を示したものである。
【００８０】
また、図６に図示する例においては、壁面ブロック１は表面フランジ１ａ、背面フランジ１ｂおよびウェブ１ｃをそれぞれ有し、そのままでもきわめて安定して自立できる平面ほぼＨ形状に一体的に形成され、またウェブ１ｃの上端部に突起１ｅが形成されている。
【００８１】
一方、盛土補強材３は帯鋼から形成され、その一端側（壁面ブロック側）と他端側（支圧ブロック側）に定着部としてフック３ａとフック３ｂがそれぞれ形成されている。フック３ａは、壁面ブロック１のウェブ１ｃの上端部に突設された突起１ｅと嵌合可能な凹溝状に形成され、フック３ｂは例えばＬ字状に曲げ加工された鉄筋などを帯鋼の端部に溶接することにより形成されている。
【００８２】
そして、フック３ａを突起１ｅに嵌合することにより、盛土補強材３の一端側（壁面ブロック側）が壁面ブロック１に定着され、またフック３ｂを支圧ブロック４の定着孔４ａに挿入することにより、盛土補強材３の他端側（支圧ブロック側）が支圧ブロック４に定着されている。
【００８３】
また特に、図６（ｄ），（ｅ）に図示するように、盛土補強材３の一端側にフック３ａとその先端側に位置して真下にほぼ直角に突出するＬ字状のフック３ｃを形成する一方、壁面ブロック１の上端部に定着孔１ｇを形成し、フック３ｃを定着孔１ｏに挿入することにより、盛土補強材３の一端側の壁面ブロック１への定着をより確実なものとすることができる。
【００８４】
なお、この場合のフック３ｃは、図６（ｄ），（ｅ）にそれぞれ図示するようにＬ字状に曲げ加工された鉄筋などを帯鋼の端部に溶接したり、あるいは帯鋼の端部を直接Ｌ状に折り曲げる等して簡単に形成することができる。
【００８５】
また、この場合のフック３ａは盛土補強材３の製作時に形成してもよいが、現地で盛土補強材３を布設する際に盛土補強材３の先端部を折り曲げる等して形成してもよい。また、フック３ｂも現地でＬ字状に曲げ加工された鉄筋などを帯鋼の端部に溶接することにより形成してもよい。
【００８６】
図７（ａ）〜（ｅ）は補強材の一例を示し、例えば図７（ａ）は鉄筋バー等の棒状部材の先端側を平面略Ｌ字状に折り曲げ、これに別の棒状部材３ｃを溶接することにより、フック３ａが平面ほぼＴ形状に形成されている。
【００８７】
また、特に図７（ｃ）に図示する補強材３は、フック３ａが棒状部材から形成され、延長部３ｄが帯鋼から形成されている。さらに、図７（ｄ），（ｅ）は補強材３の他端側（壁面ブロック側）に定着部として形成されたフック３ａの変形例を示したものであり、図７（ｄ）に図示するフック３ａは、鉄筋バー等の棒状部材の他端側を二重に折り曲げて形成することにより、フック３ａの引き抜き力に対する抵抗力が高められている。
【００８８】
また、図７（ｅ）に図示するフック３ａは、鉄筋バー等からなる盛土補強材３の先端側をＬ字状に折り曲げ、かつその表面にリブ３ｇを突設することにより固結材の付着力が高められている。なお、この場合の盛土補強材３は異形棒鋼で形成されている。
【００８９】
なお、壁面ブロックの例として、他に例えば図８（ａ）〜（ｈ）にそれぞれ図示するものがあり、いずれの壁面ブロックも表面フランジ１ａ、背面フランジ１ｂおよびウェブ１ｃをそれぞれ有し、特に図８（ａ），（ｂ）に図示するものにおいては、フランジ１ａの上端部に鉄筋やスタッドボルト等からなる連結キー１ｈがフランジ１ａの長手方向（壁体Ａの横方向）に所定間隔おいて突設され、かつこの連結キー１ｈに対応して表面フランジ１ａの下端部に連結キー１ｈが挿入可能なキー穴１ｉが形成されている。
【００９０】
そして、複数の壁面ブロック１が複数段に積層された際、上下に隣接する壁面ブロック１，１の連結キー１ｈとキー穴１ｉとが係合（連結キー１ｈがキー穴１ｉに挿入される）するインターロッキングによって上下の擁壁ブロック１どうしが互いに組み合わさるようになっている。
【００９１】
また、図８（ｃ）に図示するものにおいては、特に表面フランジ１ａの上端部に連結用凹溝１ｊが表面フランジ１ａの長手方向に連続して形成されている。そして、複数の壁面ブロック１が複数層に積層された際、各段の横方向に隣接する壁面ブロック１，１の連結用凹溝１ｊ，１ｊが壁体Ａの横方向に連続し、この横方向に隣接する複数の壁面ブロック１の連結用凹溝１ｊ，１ｊ間に跨がって連結棒７が挿入されていることで、横方向に隣接する複数の壁面ブロック１どうしが互いに接合されている。
【００９２】
また、図８（ｄ）に図示するもにおいては、特に表面フランジ１ａの上端部と下端部に表面フランジ１ａの長手方向に連続する突状部１ｋと凹状部１ｍがそれぞれ形成されている。そして、複数の壁面ブロック１が積層された際、上下に隣接する壁面ブロック１，１の突状部１ｋと凹状部１ｍとが係合することで上下壁面ブロック１どうしが互いに接合されている。
【００９３】
また、図８（ｅ）に図示するもにおいては、特にウェブ１ｃに下方に貫通する開口部１ｎが形成されていることで、擁壁ブロック１の軽量化と材料の節約化、さらに積層された後、開口部１ｎ内に礫類を充填することで、上下の壁面ブロック１，１間のせん断抵抗力を高めて土圧による壁体Ａの変形を阻止するとともに排水性が高められている。
【００９４】
また、図８（ｆ）に図示する壁面ブロック１は、表面フランジ１ａとその背面側に並列に突設された複数のウェブ１ｃ，１ｃとから形成され、ウェブ１ｃ，１ｃ間が盛土を充填するための開口部１ｎになっている。
【００９５】
また、図８（ｇ）に図示する壁面ブロック１は、表面フランジ１ａとその背面側に突設されたウェブ１ｃとから平面Ｔ形状に形成されている。さらに、図８（ｈ）に図示する壁面ブロック１は、表面フランジ１ａの上端部に植栽用凹部１ｏが形成されている。
【００９６】
支圧ブロック４は、そのままでも安定して自立できるような直方体形に形成され、特に背面側に自立性を高めかつ充分な重量を保持すべく、リブが突設されている。また、上端部の中央に補強材３の他端側のフック３ｂを定着するための定着用孔４ａが所定の深さに形成されている。
【００９７】
図９と図１０は、盛土補強材３の引き抜き力Ｐに対する抵抗部材として、壁面ブロック１のコンクリート内に抵抗部材１ｐを水平に埋設することで、盛土補強材３の引き抜き力Ｐに強力に抵抗できるようにしたものである。
【００９８】
なお、図９（ａ）〜（ｃ）の例では、壁面ブロック１の表面フランジ１ａとウェブ１ｃの上端部に平面Ｌ字状に連続して形成された定着溝１ｄのコーナ部に、抵抗部材１ｐが垂直に埋設されている。
【００９９】
また、図１０（ａ），（ｂ）の例では、壁面ブロック１の表面フランジ１ａの中央に垂直に形成された定着孔１ｆの内側（背面フランジ側）に抵抗部材１ｐが水平に埋設されている。この場合、抵抗部材１ｐは予め形成された定着孔または定着溝１ｑに埋設されている。
【０１００】
図１１（ａ），（ｂ）は、特に盛土補強材３と支圧ブロック４の変形例を示し、図示するように盛土補強材３は平面ほぼ溝状に形成され、その先端部分がフック３ａに相当する定着部になっている。また、自由端側の端部に側面ほぼＬ字状のフック３ｂがそれぞれ形成されている。支圧ブロック４は横長に形成され、その長手方向の両端部に定着孔４ａ，４ａが所定深さに形成されている。
【０１０１】
そして、盛土補強材３のフック３ａが隣接する壁面ブロック１，１の定着溝１ｄ，１ｄ間に跨がって挿入して定着され、またフック３ｂ，３ｂは支圧ブロック４の定着孔４ａ，４ａに挿入し、さらに定着溝１ｄと定着孔４ａに固結材６を充填して定着されている。
【０１０２】
なお、この場合、盛土補強材３の定着部３ａまたは定着部３ａと３ｂ間の軸部を固定金具（図省略）で上から押さえて盛土補強材３の浮き上がり防止してもよい。この場合の固定金具としては、鉄筋などから形成され、盛土補強材３の軸部を跨ぐように真下にコ字状に開口した金具などが考えられる。固定金具は両端の脚部を壁面ブロックの上端部に形成された小穴に差し込んで固定することができる。
【０１０３】
図１２（ａ），（ｂ）は、特に隣接する壁面ブロック１，１どうしが連結金具７によって連結されている例を示し。この場合、連結金具７は鉄筋などから形成され、両端に側面ほぼＬ字状のフック７ａ，７ａが形成されている。また、隣接する壁面ブロック１，１の表面フランジ１ａの両端部に定着孔１ｒ，１ｒがそれぞれ形成されている。
【０１０４】
そして、隣接する各壁面ブロック１，１間に連結金具７を両端のフック７ａ，７ａを表面フランジ１ａの定着孔１ｒ，１ｒに挿入して設置することにより、隣接する各壁面ブロック１，１どうしが互いに連結されている。
【０１０５】
また、盛土補強材３の先端側のフック３ａは壁面ブロック１の背面フランジ１ｂに形成された定着孔１ｆに定着されている。
【０１０６】
図１３（ａ），（ｂ）は、盛土補強材３のフック３ａを壁面ブロック１に定着する方法の他の例を示し、特に各壁面ブロック１の上端部に定着孔または定着溝を設ける代わりに、各壁面ブロック１の背面部に鉄筋などからなる輪環８を突設し、この輪環８にフック３ａを水平に挿入することで、盛土補強材３の一端側が壁面ブロック１に定着されている。この場合、輪環８は壁面ブロック１の背面部に形成された定着孔１ｓに固結材６によって定着されている。
【０１０７】
図１４（ａ）〜（ｃ）は、同じく盛土補強材３のフック３ａを壁面ブロックに定着する方法の一例を示し、積層された各壁面ブロック９の背面部（図１４（ａ））、または積層された上下壁面ブロック９，９間の目地部の背面部（図１４（ｂ））に定着金具１０が突設されている。
【０１０８】
また、盛土補強材３の一端側（壁面ブロック側）に定着プレート３ｃが突設され、定着金具１０と定着プレート３ｃにそれぞれ連結孔１０ａと３ｄが形成されている。そして、定着金具１０の側部に定着プレート３ｃを重ね、連結孔１０ａと３ｄ間に連結ピンを挿入することにより、盛土補強材３の一端側が壁面ブロック９に連結されている。なお、この場合の壁面ブロックには、図示するような厚手の壁面パネルが用いられている。
【０１０９】
図１５（ａ），（ｂ）は、同じく盛土補強材３の一端側を壁面ブロック９に定着する方法の一例を示し、積層された上下の壁面ブロック９，９間に上下の壁面ブロック９どうしを連結すべく、連結キー１１が取り付けられ、また盛土補強材３の一端側（壁面ブロック側）に定着プレート３ｃが突設され、この定着プレート３ｃに連結孔３ｄが形成されている。
【０１１０】
そして、定着プレート３ｃの連結孔３ｄに連結キー１４を挿入することにより、盛土補強材３の一端側が壁面ブロック１０に連結されている。
【０１１１】
なお、この場合の壁面ブロックには、図示するような直方体形のブロックが用いられている。また、連結キー１１は上下の壁面ブロック９，９にそれぞれ形成された定着孔内に固結材によって定着されている。
【０１１２】
図１６（ａ）〜（ｃ）は、支圧ブロックの一例を示し、定着孔４ａの側部（壁面ブロック１側）に抵抗部材４ｂとして鉄筋または鋼板が埋設されている。この場合の抵抗部材４ｂは埋込み溝４ｃ内に固結材によって埋設されている。
【０１１３】
図１７〜図２１は、盛土補強材の両端を壁面ブロックと支圧ブロックに定着する方法の他の例を示したものである。
【０１１４】
図１７の例においては、壁面ブロック１と支圧プロック４の側部に所定深さの定着孔１ｔと４ｄがそれぞれ形成され、この定着孔１ｔと４ｄに盛土補強材３の端部が挿入され、かつ固結材６が充填されている。
【０１１５】
また、図１８（ａ），（ｂ），（ｃ）の例においては、壁面ブロック１と支圧ブロック４に連結部材１２としてそれぞれ突設されたボルト部材や帯状部材に鉄筋バーや金網材などの盛土補強材３がターンバックル１３やボルト・ナット１４を介して連結されている。
【０１１６】
図１９（ａ），（ｂ）の例においては、壁面ブロック１に突設された連結部材１２に盛土補強材３としてジオテキスタイルが直接巻き付けることにより取り付けられている。
【０１１７】
さらに、図２０（ａ），（ｂ），（ｃ）の例においては、壁面ブロック１に形成された定着孔１ｔ内に盛土補強材３として鉄筋バーや帯鋼材などの端部が固結材によって定着されている。
【０１１８】
【発明の効果】
本願発明は以上説明したとおりであり、特に盛土補強材は端部に形成されたほぼＬ字状またはＴ字状のフックを壁面ブロックと支圧ブロックに形成された定着溝または定着孔内に固結材によって定着されているので、これまでのようなボルト・ナットによる定着に比べて構造がはるかに簡単であり、またボルト・ナットが不要になるため、施工の大幅な省力化と工事費の大幅な低減が図れる。
【０１１９】
また、壁面ブロックと支圧ブロックには、スランプがゼロかゼロにきわめて少ない超固練りコンクリートを型枠内で強力なバイブレータや締め固め機を用いて締め固めて成形された乾式ブロックが用いられ、かつ盛土補強材の引き抜きに抵抗する抵抗部材として鉄筋や鋼板などが埋設されているので、強度的にもきわめて安定した補強土構造物を提供することができる。
【図面の簡単な説明】
【図１】（ａ）は、擁壁として構築された補強土構造物の一例を示す一部斜視図、（ｂ）は壁面ブロック、支圧ブロックおよび盛土補強材の斜視図、（ｃ）は支圧ブロックの縦断面図である。
【図２】（ａ）は、擁壁として構築された補強土構造物の一例を示す一部平面図、（ｂ）は壁面ブロック、支圧ブロックおよび盛土補強材の斜視図である。
【図３】（ａ）は、擁壁として構築された補強土構造物の一例を示す一部斜視図、（ｂ）は壁面ブロックの斜視図である。
【図４】（ａ）は、擁壁として構築された補強土構造物の一例を示す一部斜視図、（ｂ）はその一部平面図、（ｃ）は壁面ブロックの一部縦断面図、（ｄ）は壁面ブロックの一部斜視図である。
【図５】（ａ）は、擁壁として構築された補強土構造物の一例を示す一部斜視図、（ｂ）はその一部平面図、（ｃ）は壁面ブロックの一部縦断面図、（ｄ）は壁面ブロックの一部斜視図である。
【図６】（ａ）は、擁壁として構築された補強土構造物の一例を示す一部平面図、（ｂ）は壁面ブロック、盛土補強材および支圧ブロックの斜視図、（ｃ）は壁面ブロックの一部縦断面図、（ｄ），（ｅ）は壁面ブロックと盛土補強材を示す斜視図である。
【図７】（ａ）〜（ｅ）は盛土補強材の一例を示す斜視図である。
【図８】（ａ）〜（ｈ）は、壁面ブロックの他の例を示す斜視図である。
【図９】（ａ）、（ｂ）は壁面ブロックと盛土補強材を示す一部斜視図、（ｃ）壁面ブロックの一部縦断面図である。
【図１０】（ａ）は壁面ブロックと盛土補強材の斜視図、（ｂ）壁面ブロックの一部縦断面図である。
【図１１】（ａ）は擁壁として構築された補強土構造物の一例を示す一部平面図、（ｂ）は盛土補強材の斜視図である。
【図１２】（ａ）は擁壁として構築された補強土構造物の一例を示す一部平面図、（ｂ）は壁面ブロック、盛土補強材および支圧ブロックの斜視図である。
【図１３】（ａ）は壁面ブロックおよび盛土補強材の斜視図、（ｂ）は壁面ブロックの一部破断側面図ある。
【図１４】（ａ）、（ｂ）は擁壁として構築された補強土構造物の一例を示す一部縦断面図、（ｃ）は盛土補強材の斜視図である。
【図１５】（ａ）は擁壁として構築された補強土構造物の一例を示す一部縦断面図、（ｂ）は盛土補強材の斜視図である。
【図１６】（ａ），（ｂ）は、支圧ブロックの一例を示す補強土ブロックの斜視図、（ｃ）はその一部縦断面図である。
【図１７】（ａ）は擁壁として構築された補強土構造物の一例を示す一部平面図、（ｂ）は壁面ブロック、盛土補強材および支圧ブロックの斜視図、（ｃ）は支圧ブロックの一部縦断面図である。
【図１８】（ａ）〜（ｄ）は、壁面ブロック、支圧ブロックおよび盛土補強材の斜視図である。
【図１９】（ａ），（ｂ）は、壁面ブロックおよび盛土補強材の斜視図である。
【図２０】（ａ），（ｂ），（ｃ）は、壁面ブロック、支圧ブロックおよび盛土補強材の斜視図である。
【図２１】（ａ）は擁壁として構築された従来の補強土構造物の一例を示す縦断面図、（ｂ）は鉄筋バー端部の側面図である。
【符号の説明】
１  壁面ブロック（補強土ブロック）
２  盛土
３  盛土補強材
４  支圧ブロック（補強土ブロック）
５  空洞部
６  固結材
７  連結金具
８  輪環
９  壁面ブロック
１０  定着金具
１１  連結キー
１２  連結部材
１３  ターン・バックル
１４  ボルト・ナット
【図１】
0003818939.tif 000002
【図２】
0003818939.tif 000003
【図３】
0003818939.tif 000004
【図４】
0003818939.tif 000005
【図５】
0003818939.tif 000006
【図６】
0003818939.tif 000007
【図７】
0003818939.tif 000008
【図８】
0003818939.tif 000009
【図９】
0003818939.tif 000010
【図１０】
0003818939.tif 000011
【図１１】
0003818939.tif 000012
【図１２】
0003818939.tif 000013
【図１３】
0003818939.tif 000014
【図１４】
0003818939.tif 000015
【図１５】
0003818939.tif 000016
【図１６】
0003818939.tif 000017
【図１７】
0003818939.tif 000018
【図１８】
0003818939.tif 000019
【図１９】
0003818939.tif 000020
【図２０】
0003818939.tif 000021
【図２１】
0003818939.tif 000022